【事件の表示】
　特許第３４１７２３８号「樋取付具」の請求項１〜６に係る特許に対する特許異議の申立てについて、次のとおり決定する。
【結　論】
　訂正を認める。
　特許第３４１７２３８号の請求項１〜３に係る特許を取り消す。
【理　由】
１．手続の経緯
　本件特許第３４１７２３８号に係る出願は、平成８年１２月２８日の出願であって、平成１５年４月１１日に特許の設定登録がなされ、その後、三菱樹脂株式会社から特許異議の申立がなされ、取消理由が通知され、その指定期間内である平成１６年８月９日付けで訂正請求がなされたものである。
　
２．訂正の要旨
　訂正事項ａ：特許請求の範囲を、次のように訂正する。
「【請求項１】建築物に取り付けられる取付面を備えた取付部と、この取付部から前方へ延び出した樋保持部とを備えた樋取付具において、上記取付部がポリカーボネート樹脂で成形されており、その取付部の上記取付面が、可塑剤などの添加物を含有する合成樹脂の上記添加物の通過を遮断する添加物遮断膜で覆われており、上記添加物遮断膜の両面には粘着剤が保持され、この添加物遮断膜の片面の上記粘着剤が上記取付部の取付面に粘着されていることを特徴とする樋取付具。
　【請求項２】上記添加物遮断膜が、金属箔、金属薄板、合成樹脂フィルムの少なくとも片面にアルミニウム蒸着被膜を形成したアルミニウム蒸着フィルム、ポリエチレンテレフタレート樹脂シート、フッ素樹脂シート、ポリオレフィン樹脂シート、メチルメタクリレート樹脂シートから選ばれる膜である請求項１に記載した樋取付具。
　【請求項３】上記添加物遮断膜が、メチルメタクリレート樹脂塗膜またはフッ素樹脂塗膜でなる請求項１に記載した樋取付具。」
　
３．訂正の適否
　上記訂正事項ａに係る訂正は、特許請求の範囲の減縮を目的とするものであり、願書に添付した明細書又は図面に記載した事項の範囲内のものであり、さらに、実質上特許請求の範囲を拡張し、又は変更するものではない。
　したがって、上記訂正は、平成１５年改正前の特許法第１２０条の４第２項及び第３項で準用する特許法第１２６条第２項及び第３項の規定に適合するので、当該訂正を認める。
　
４．異議の申立てについての判断
（１）本件訂正発明
　本件訂正明細書の請求項１〜３に係る発明（以下、「本件訂正発明１」等という。）は、訂正明細書の特許請求の範囲の請求項１〜３に記載された事項により特定されるとおりのものである。（上記２．訂正事項ａ参照。）
　
（２）特許法第３６条第６項第２号に関して
　当審は先に通知した取消理由で、明細書の記載不備について下記のように指摘した。
　「特許請求の範囲の請求項４は、請求項１〜３のいずれかを引用しているが、請求項４で限定された添加物遮断膜は、メチルメタクリレート樹脂塗膜またはフッ素樹脂塗膜で構成されるもので、係る塗膜では、請求項２の添加物遮断膜の両面に粘着剤が保持された添加物遮断膜とはならず、また請求項３のメチルメタクリレート樹脂シートまたはフッ素樹脂シートとのシートからなるものとは相違しており、請求項２または請求項３記載のいずれの添加物遮断膜を限定するものでなく、請求項４に係る発明は不明確である。したがって、本件発明４の特許は、特許法第３６条第６項第２号に規定する要件を満たしていない特許出願に対してされたものである。（なお、請求項４が、請求項１のみを引用するものに訂正されれば、この限りではない。）」
　これに対し、本件訂正発明１は、実質的に訂正前の請求項２に係る発明であり、本件訂正発明１を引用する本件訂正発明３の限定事項は、訂正前の請求項４と同じである。となると、上記のように指摘した「請求項４で限定された添加物遮断膜は、メチルメタクリレート樹脂塗膜またはフッ素樹脂塗膜で構成されるもので、係る塗膜では、請求項２の添加物遮断膜の両面に粘着剤が保持された添加物遮断膜とはならず」という不明確な点はそのままであり、先に通知した取消理由は解消していない。なお、詳細な説明の項を参照しても、本件訂正発明３に係る実施例等は記載されておらず、本件訂正発明３の「添加物遮断膜が、メチルメタクリレート樹脂塗膜またはフッ素樹脂塗膜で、上記添加物遮断膜の両面には粘着剤が保持され」ているという構成は理解できない。
　
（３）特許法第２９条の２に関して
（３−１）先願発明
　当審が先に通知した取消理由で提示した、本件出願の日前の他の出願であって、その出願後に出願公開された、特願平７−３３０６５２号（特開平９−１６５８８８号公報（甲第１号証）。以下、「先願」という。）の願書に最初に添付された明細書及び図面（以下、「先願明細書」という。）には、以下の記載がある。
　「【０００３】鼻隠し板は木製のものであるが、防火対策の上で……化粧鋼板が使用されている。この化粧鋼板としては、一般的には……いわゆる塩ビ鋼板が使用されている。
　【０００４】……塩化ビニル樹脂材料中に含まれる可塑剤が……ポリカーボネート樹脂製の軒樋支持具の取付部の表面側から移行して劣化作用をおよぼす恐れが想定される。」
　「【０００６】……本発明の樋支持具は、建物の被取付面に取り付けられる取付部と、この取付部の前面に突設された支持部とを備えた合成樹脂製の樋支持具において、前記取付部の被取付面に当接される後面に、可塑剤の移行を防止する防止層を設けたものである。」
　「【０００８】……本発明における樋支持具は合成樹脂製のものであればよく、たとえばポリカーボネート樹脂……を使用することができる。」
　「【００１１】本発明における可塑剤の移行を防止する防止層としては、可塑剤の移行を遮断して阻止する機能を有するものであればその材質は限定されることはなく、たとえば合成樹脂材料でも、金属材料でもよい。この防止層は取付部の被取付面に当接される側の形態に応じて設ければよく、たとえば全面がフラットな場合は全面に設ければよく……この防止層を設ける手段は……成形後、取付部の被取付面側に……設けてもよい。」
　これらの記載を含む明細書全体、及び、図４を参照すると、先願明細書には、以下の発明が記載されていると認められる。
「建物の被取付面に取り付けられる取付部と、この取付部の前面に突設された支持部とを備えたポリカーボネート樹脂製の樋支持具において、成形後の取付部の被取付面に当接される後面に、可塑剤の移行を防止する合成樹脂材料や金属材料からなる防止層を全面に設けた、樋支持具。」（以下、「先願発明」という。）
（３−２）本件訂正発明１について
　本件訂正発明１と先願発明とを対比すると、先願発明の「建物の被取付面」、「支持部」、「防止層」、「全面に設け」、及び「樋支持具」は、それぞれ、本件訂正発明１の「建築物」、「樋保持部」、「添加物遮断膜」、「覆われ」、及び「樋取付具」に相当し、先願発明において、防止層はその片面が成形後の取付部の被取付面に、他面が建物の被取付面に取り付けられることが明らかであり、そのような場合、該両面に取付手段を設けておくことは従来から行われていることにすぎず、その際の取付手段として、例えば両面粘着テープ等を用いて本件訂正発明１のようにすることは、周知慣用手段にすぎない。
　したがって、本件訂正発明１は、先願発明と実質的に同一である。
（３−３）本件訂正発明２について
　先願明細書には、金属材料からなる防止層が開示されており、本件訂正発明２の添加物遮断膜を金属薄板とすることは、先願明細書に記載されているといえる。
（３−４）まとめ
　以上のとおり、本件訂正発明１，２は、いずれも、上記先願発明と同一である。そして、本件訂正発明１，２の発明者が上記先願の発明者と同一であるとも、又本件の出願の時に、その出願人が上記先願の出願人と同一であるとも認められないから、本件訂正発明１，２の特許は、特許法第２９条の２の規定に違反してされたものである。
　
（４）特許法第２９条第２項に関して
（４−１）引用刊行物記載の発明
　当審が先に通知した取消理由で引用した、特開平７−１８９４４０号公報（甲第７号証。以下、「刊行物１」という。）には、以下の記載がある。
　「【請求項３】上記吊り具（８）がポリカーボネート樹脂成形品であることを特徴とする請求項１記載の雪よけ用軒樋の取付け構造。」
　「【００２４】なお、軒先に取付けられた上記雪よけ用軒樋（Ａ）を吊る吊り具（８）の取付け構造について説明すると、壁（２４）に取付けられた吊り具（８）の取付板（２１）と、この取付板（２１）と壁（２４）との間に形成された、上方に開口したはめ込み溝（２２）を備え、吊り具（８）の載置片（１８）に連なる取付片（２３）をこのはめ込み溝（２２）に挿着して構成されている。」
　これらの記載、及び、図１を参照すると、刊行物１には、以下の発明が記載されていると認められる。
「建屋の壁に取り付けられる取付片と、この取付片から前方へ延び出した軒樋保持部等とを備えた軒樋の吊り具全体がポリカーボネート樹脂で成形されている、軒樋の吊り具。」
　同じく、特開平６−２１８７６１号公報（甲第３号証。以下、「刊行物２」という。）には、以下の記載がある。
　「【０００２】……ポリカーボネートを射出成形後、更に軟質樹脂であるポリ塩化ビニル系樹脂をその外周部に積層、射出成形により合成樹脂製積層体を得る方法が考えられる。しかしながら、上記成形法では、塩化ビニル系樹脂に含まれる可塑剤がポリカーボネート側に移行する結果、可塑剤がポリカーボネートにクラックを発生させるという問題がある。」
　「【０００４】……塩化ビニル系樹脂から芳香族ポリカーボネートへの可塑剤の移行を防止する……。
　【０００５】……芳香族ポリカーボネート製成形品の塩化ビニル系樹脂が積層される部分に予めアクリル系樹脂層を設けておくことにより、上記課題を解決できる」
　「【００１１】本発明で使用するアクリル系樹脂は、メタクリル酸メチル、アクリル酸ブチル、アクリル酸エチル、及びアクリル酸メチルの重合物、もしくはこれらの共重合物を少なくとも一種以上の組成物からなるものを使用する。」
　同じく、実願平５−６４５７８号（実開平７−３４１２５号）のＣＤ−ＲＯＭ（甲第２号証。以下、「刊行物３」という。）には、以下の記載がある。
　「【０００６】……樋取付具において、前記取付部は屋内側の取付面が被取付部に沿う形状になされ……取付部の取付面に粘着剤層が設けられ……この粘着剤層を設ける方法は種々ある。例えば……この面に両面粘着シートを張り付けてもよい。」
　「【００１４】……取付面には和紙の両面に粘着剤層が設けられた両面粘着シートが粘着されて取付部２ａに粘着層２２ａが設けられている。」
（４−２）本件訂正発明１について
　本件訂正発明１と刊行物１記載の発明とを対比すると、刊行物１記載の発明の「建屋の壁に取り付けられる取付片」、「軒樋保持部」、及び「軒樋の吊り具」は、それぞれ、本件訂正発明１の「建築物に取り付けられる取付面を備えた取付部」、「樋保持部」、及び「樋取付具」に相当するから、両者は、
「建築物に取り付けられる取付面を備えた取付部と、この取付部から前方へ延び出した樋保持部とを備えた樋取付具において、上記取付部がポリカーボネート樹脂で成形されている樋取付具。」の点で一致し、次の点で相違する。
　相違点：本件訂正発明１は、取付部の取付面が、可塑剤などの添加物を含有する合成樹脂の上記添加物の通過を遮断する添加物遮断膜で覆われており、上記添加物遮断膜の両面には粘着剤が保持され、この添加物遮断膜の片面の上記粘着剤が上記取付部の取付面に粘着されているのに対し、刊行物１記載の発明は、そのような技術的事項が記載されていない点
　上記相違点について検討する。
　刊行物２には、本件訂正発明１と同様の目的で、ポリカーボネート成形品と塩化ビニル系樹脂との間に塩化ビニル系樹脂から可塑剤がポリカーボネート成形品への移行を防止する遮断膜を設けることが記載されており、また、刊行物３には、両面に粘着剤が保持された両面粘着シートの片面を樋取付具の取付部の取付面に粘着しておくことが記載されており、これらの技術を刊行物１記載の発明に採用して、上記相違点における本件訂正発明１のようにすることは、当業者が容易に想到しうる程度のことにすぎない。
（４−３）本件訂正発明２について
　本件訂正発明２は、本件訂正発明１を引用してさらに、「上記添加物遮断膜が、金属箔、金属薄板、合成樹脂フィルムの少なくとも片面にアルミニウム蒸着被膜を形成したアルミニウム蒸着フィルム、ポリエチレンテレフタレート樹脂シート、フッ素樹脂シート、ポリオレフィン樹脂シート、メチルメタクリレート樹脂シートから選ばれる膜である」という事項を付加したものであるが、上記本件訂正発明１についての検討事項に加えて、添加物遮断膜としてメチルメタクリレート樹脂シートを選択することは、刊行物２に、可塑剤の移行を防止する遮断膜としてアクリル系樹脂を選択することが記載されている以上、当業者であれば、容易に想到できる設計事項にすぎない。
（４−４）まとめ
　したがって、本件訂正発明１，２は、いずれも、刊行物１〜３に記載された発明に基いて当業者が容易に発明をすることができたものである。
　
（５）むすび
　以上のとおりであるから、本件訂正発明１，２は、特許法第２９条の２、及び、同法第２９条第２項の規定により特許を受けることができない。また、本件訂正発明３は、同法第３６条第６項第２号の規定により特許を受けることができない。
　したがって、本件訂正発明１〜３の特許は、特許法第１１３条第２項に該当し、取り消されるべきものである。
　よって、結論のとおり決定する。
【異議決定日】
平成１６年１１月１７日（２００４．１１．１７）
【訂正の要旨】
審決（決定）の【理由】欄参照。
（５４）【発明の名称】
樋取付具
（５７）【特許請求の範囲】
　【請求項１】建築物に取り付けられる取付面を備えた取付部と、この取付部から前方へ延び出した樋保持部とを備えた樋取付具において、上記取付部がポリカーボネート樹脂で成形されており、その取付部の上記取付面が、可塑剤などの添加物を含有する合成樹脂の上記添加物の通過を遮断する添加物遮断膜で覆われており、上記添加物遮断膜の両面には粘着剤が保持され、この添加物遮断膜の片面の上記粘着剤が上記取付部の取付面に粘着されていることを特徴とする樋取付具。
　【請求項２】上記添加物遮断膜が、金属箔、金属薄板、合成樹脂フィルムの少なくとも片面にアルミニウム蒸着被膜を形成したアルミニウム蒸着フィルム、ポリエチレンテレフタレート樹脂シート、フッ素樹脂シート、ポリオレフィン樹脂シート、メチルメタクリレート樹脂シートから選ばれる膜である請求項１に記載した樋取付具。
　【請求項３】上記添加物遮断膜が、メチルメタクリレート樹脂塗膜またはフッ素樹脂塗膜でなる請求項１に記載した樋取付具。
【発明の詳細な説明】
　【０００１】
　【発明の属する技術分野】本発明は、樋取付具、詳しくは、可塑剤やその他の添加物を含む合成樹脂部分に取り付けられることのある樋取付具であって、その取付部と上記可塑剤などの添加物とが接触することがない樋取付具に関する。
　【０００２】
　【従来の技術】樋取付具には、軒樋を吊持して保持するタイプの樋吊り具、軒樋を下から支持して保持するタイプの樋受け具、立樋を保持するタイプの竪樋取付具などの種々のものが知られており、これらの樋取付具には一般に建築物に取り付けられる取付部とこの取付部から前方へ延び出した樋保持部とを、一体のものとして、あるいは別体のものとして備えているものなどがある。
　【０００３】図８には、建築物１００の破風板１１０に取り付けられて軒樋２００を吊持するタイプの樋吊り具を樋取付具Ａとして例示してある。この樋取付具Ａにおいて、取付部１はその裏面が取付面１１として形成されており、その取付面１１を破風板１１０に重ね合わせ、釘や取付ねじを用いて取付部１を破風板１１０に固着するようになっている。また、図８の樋取付具Ａにおいて、樋保持部３には、軒樋２００の前壁２０１に対する前支持部３１や、軒樋２００の後壁２０２に対する後支持部３２などが備わっている。
　【０００４】ところで、近時の新築家屋では、上記破風板１１０として、あるいは破風板１１０の表面材として、薄鋼板に塩化ビニルプラスチゾルで外面被覆を施した塩化ビニル被覆鋼板が用いられることがある一方で、樋取付具Ａとしてポリカーボネート樹脂成形体などの強度に富む合成樹脂成形体が用いられることがある。
　【０００５】
　【発明が解決しようとする課題】破風板１１０と樋取付具Ａとがそれらの材料に関して上記のように組み合わされた場合、破風板１１０に用いられた塩化ビニル被覆鋼板の外面被覆である塩化ビニルブラスチゾルに含まれている添加剤、たとえば可塑剤（ＤＯＰ，ＤＢＰなど）が表面に移行し、その破風板１１０に重ね合わされた樋取付具Ａの取付部１が可塑剤と接触するという事態を生じることがある。
　【０００６】この点に関し、樋取付具Ａがポリカーボネート樹脂成形体で作られていると、ポリカーボネート樹脂自体が耐薬品性に乏しいという性質を有しているため、その樋取付具Ａの取付部１側に移行してきた可塑剤にその取付部１が接触し、そのような接触により取付部１が可塑剤に侵されてクラックを生じ、それが原因で破風板１１０に対する樋取付具Ａの取付強度が低下するということが起こり得る。この傾向は、気温が高いときに顕著に起こる。樋取付具Ａをポリカーボネート樹脂以外の合成樹脂で成形した場合であっても、その合成樹脂が耐薬品性に乏しい性質を有する場合には同様の事態が起こり得る。
　【０００７】本発明は以上の状況のもとでなされたものであり、樋取付具の取付部が合成樹脂で成形されている場合において、その取付部が上述したポリ塩化ビニル樹脂で外面被覆されている破風板に取り付けられるようなことがあっても、ポリ塩化ビニル樹脂に含まれて上記取付部に悪影響を及ぼすような添加剤、特に可塑剤が上記取付部を侵すようなことが起こり得ない樋取付具を提供することを目的とする。
　【０００８】
　【課題を解決するための手段】本発明に係る樋取付具は、建築物に取り付けられる取付面を備えた取付部と、この取付部から前方へ延び出した樋保持部とを備えた樋取付具において、上記取付部がポリカーボネート樹脂で成形されており、その取付部の上記取付面が、可塑剤などの添加物を含有する合成樹脂の上記添加物の通過を遮断する添加物遮断膜で覆われている、というものである。
　【０００９】本発明の樋取付具のように、取付部にポリカーボネート樹脂が用いられていると、ポリカーボネート樹脂に特有の優れた強度がその取付部に付与され、しかも、上記した添加物遮断膜による可塑剤の遮断作用によってその取付部の初期の強度が長期に亘って保たれる。
　【００１０】本発明の樋取付具においては、上記取付部を成形している合成樹脂が、ポリカーボネート樹脂であることが望ましい。取付部にポリカーボネート樹脂が用いられていると、ポリカーボネート樹脂に特有の優れた強度がその取付部に付与され、しかも、上記した添加物遮断膜による可塑剤の遮断作用によってその取付部の初期の強度が長期に亘って保たれる。
　【００１１】本発明においては、上記添加物遮断膜の両面に粘着剤が保持され、上記添加物遮断膜の片面の上記粘着剤が上記取付部の取付面に粘着されていることが望ましい。
　【００１２】この発明によると、樋取付具の取付部にあらかじめ添加物遮断膜が粘着されているので、その樋取付具を建築物に取り付けるときに添加物遮断膜をその取付部の取付面に装着する手間がかからない。また、添加物遮断膜の他面に保持されている粘着剤を活用してその取付部を建築物に貼着するようにすれば樋取付具を建築物に仮止めすることが可能になるので、釘や取付ねじを用いて取付部を固着する作業を容易にかつ確実に行えるようになる。
　【００１３】本発明においては、上記添加物遮断膜が、金属箔、金属薄板、合成樹脂フィルムの少なくとも片面にアルミニウム蒸着被膜を形成したアルミニウム蒸着フィルム、ポリエチレンタレフタレート樹脂シート、フッ素樹脂シート、ポリオレフィン樹脂シート、メチルメタクリレート樹脂シートから選ばれる膜であることが望ましい。また、上記添加物遮断膜が、メチルメタクリレート樹脂塗膜やフッソ樹脂塗膜であってもよい。
　【００１４】上掲した金属箔や金属薄板などの金属素材は、塩化ビニルブラスチゾルに含まれる可塑剤などの添加物との接触を確実に遮断する性質を有する。合成樹脂フィルムの少なくとも片面にアルミニウム蒸着被膜を形成したアルミニウム蒸着フィルムは、そのアルミニウム蒸着被膜が同様の性質を発揮し、さらに、ポリエチレンタレフタレート樹脂シート、フッ素樹脂シート、ポリオレフィン樹脂シート、メチルメタクリレート樹脂シート、メチルメタクリレート樹脂塗膜、フッ素樹脂塗膜についても同様の性質を発揮する。
　【００１５】本発明はまた、上記添加物遮断膜から、上記取付部と上記樋保持部の少なくとも上面部に密着した被膜が延出されており、その被膜および上記添加物遮断膜が、メチルメタクリレート樹脂被膜である、という構成を採用することができる。このようにしておくと、メチルメタクリレート樹脂でなる添加物遮断膜によって上述した可塑剤などとの接触が確実に遮断されるだけでなく、耐候性に優れたメチルメタクリレート樹脂の性質により、上記取付部と上記樋保持部の少なくとも上面部とに密着したメチルメタクリレート樹脂でなる被膜が取付部や樋保持部の紫外線劣化を防ぐことに役立つ。このため、樋取付具がポリカーボネート樹脂で作られている場合には、上記被膜がその紫外線劣化を防止して長期に亘って初期の強度を保つことに役立つ。
　【００１６】本発明においては、上記添加物遮断膜が金属薄板でなり、その金属薄板に、上記取付部と樋保持部とを上方から覆うカバー部が前方へ向けて延出されている、という構成を採用することが可能である。
　【００１７】このようにしておくと、添加物遮断膜を形成している金属薄板から前方へ向けて延出されたカバー部が、取付部や樋保持部に日光が当たることを抑制するので、それらの取付部や樋保持部の紫外線劣化が抑制される。
　【００１８】
　【００１９】
　【００２０】
　【発明の実施の形態】以下に説明する実施形態は、ポリカーボネート樹脂で成形された樋取付具に関するものであり、図１はその取付部１と添加物遮断膜５とを示す斜視図、図２は取付部１を破風板１１０に取り付けたときの断面図、図３は図２のＩＩＩ部を拡大した断面図である。
　【００２１】図１のように、取付部１はその裏面が略矩形の取付面１１になっており、その幅方向の両端部の所定箇所に釘や取付ねじ（不図示）を挿通するための挿通孔１２が形成されている。１３は取付面１１に形成された凹所である。この取付部１には、その上端中央部から樋保持部３が前方に向けて延び出ている。図１に示した樋取付具１の形状・構造は図８で説明した樋取付具Ａと同一であり、その全体が、種々の合成樹脂の中でも機械的強度が卓越しているポリカーボネート樹脂の一体成形体でなる。
　【００２２】図１に示した添加物遮断膜５は、合成樹脂フィルムの少なくとも片面にアルミニウム蒸着被膜を形成したアルミニウム蒸着フィルムでなり、図３のように、その片面および他面のそれぞれには粘着剤５１，５２が保持されており、そのうちの片面側の粘着剤５１が上記取付部１の取付面１１に粘着される。このようにして添加物遮断膜５を取付部１の取付面１１に貼着しておくと、その添加物遮断膜５によって取付部１の取付面１１が覆われる。なお、樋取付具Ａを建築物の破風板１１０などに取り付ける前には、上記取付面１１に貼着されている添加物遮断膜５の他面側の粘着剤５２を剥離紙などで保護しておくものとする。
　【００２３】樋取付具Ａをたとえば破風板１１０に取り付けるときには、添加物遮断膜５の他面側の粘着剤５２を保護している剥離紙を取り除いた後、その粘着剤５２を利用して図２のように破風板１１０に貼着し、樋取付具Ａを破風板１１０に仮止めする。次に、そのように仮止めされている樋取付具Ａの取付部１の挿通孔１２…を通して釘や取付ねじ（不図示）を破風板１１０に打ち込むことによって取付部１を破風板１１０に固着する。
　【００２４】こうして破風板１１０に取付部１を固着すると、破風板１１０と取付部１の取付面１１との間に添加物遮断膜５が挾み込まれる。ところで、図１で説明したような破風板１１０にあっては、図３に示したように、薄鋼板１１２に塩化ビニルプラスチゾルで外面被覆１１３が施された塩化ビニル被覆鋼板が用いられており、その外面被覆１１３にはＤＯＰ，ＤＢＰなどの可塑剤や、安定剤、増量材といった各種の添加物が含まれている。そのため、その外面被覆１１３にポリカーボネート樹脂で成形された取付部１の取付面１１が直接に重なり合っていると、外面被覆１１３に含まれる添加物、特に可塑剤が経時により内部から表面に移行して取付部１と接触し、そのような接触によって取付部１を劣化させクラックを生じさせるおそれがある。しかしながら、図３に見られるように、上記取付部１の取付面１１と破風板１１０の外面被覆１１３との間には、アルミニウム蒸着フィルムでなる添加物遮断膜５とその両面に担持されている粘着剤５１，５２が介在されているので、上記取付面１１が外面被覆１１３に直接に重なり合っていない。このため、添加物遮断膜５により上記外面被覆１１３の添加物、特に可塑剤と上記取付部１との接触が防止されることとなり、そのことが、取付部１の劣化やクラックの発生を防ぐことに役立つ。したがって、機械的強度にきわめて優れたポリカーボネート樹脂の成形体でなる取付部１が耐薬品性に乏しいものであるとしても、その取付部１の破風板１１０への初期の取付強度が長期に亘って確保される。
　【００２５】樋取付具Ａをポリカーボネート樹脂以外の合成樹脂で成形することは可能であるけれども、その際には、軒樋などを支持するのに十分な強度を備えた合成樹脂を選択したり、そのような強度を確保し得る構造を採用する必要がある。また、金属製の芯材の外面を合成樹脂で被覆することによって樋取付具Ａを構成しておいてもよい。
　【００２６】上記した実施形態では添加物遮断膜５としてアルミニウム蒸着フィルムを用いているけれども、この添加物遮断膜には、金属箔、金属薄板、ポリエチレンタレフタレート樹脂シート、フッ素樹脂シート、ポリオレフィン樹脂シート、メチルメタクリレート樹脂シートといった可塑剤の移行を遮断し得る様々な膜を用いることが可能である。また、上記取付具１の取付面１１にメチルメタクリレート樹脂やフッ素樹脂を塗布してそれらの塗膜を形成し、その塗膜によって添加物遮断膜５を形成しておいてもよい。さらに、他の種類のプラスチックシートを使用することも可能ではあるが、その場合には、可塑剤がそのプラスチックシートの内部を移行して取付部１に接触することもあり得ることがないとは言えないので他の種類のプラスチックシートの使用に際しては十分な注意を要する。ただ、この場合においても、可塑剤の移行を遅らせると同時に移行量も少なくなるので、ある程度の効果を期待することはできる。
　【００２７】図４は他の実施形態を示している。同図の樋取付具Ａにおいて、その形状や構造は図８で説明したものと同様である。この樋取付具Ａでは、ポリカーボネート樹脂の成形体で取付部１と樋保持部２とが一体に成形されている。そして、取付部１の取付面１１に、その取付面１１を覆う添加物遮断膜５が密着されていると共に、その添加物遮断膜５から被膜５３が延出され、この被膜５３が上記取付部１の取付面１１を除く外面と上記樋保持部３の外面全体とに密着されている。すなわち、ポリカーボネート樹脂成形体でなる取付部１と樋保持部３との全体が、添加物遮断膜５と被膜５３とによって完全に包み込まれている。上記添加物遮断膜５やそれと一体の被膜５３はメチルメタクリレート樹脂被膜によって形成されている。このようなメチルメタクリレート樹脂被膜は、取付部１と樋保持部２とを一体に有するポリカーボネート樹脂成形体をメチルメタクリレート樹脂液に浸漬するというディッピング処理によって形成したり、あるいは、上記ポリカーボネート樹脂成形体の表面全体にメチルメタクリレート樹脂を塗布したりすることによって容易に形成することができる。
　【００２８】図４で説明した樋取付具Ａを図３などで説明した破風板１１０に固着した場合、取付部１の取付面１１を覆っているメチルメタクリレート樹脂でなる添加物遮断膜５が、上記外面被覆１１３に含まれていて表面へ移行してきた可塑剤などの添加物と上記取付部１との接触を阻止するので、添加物との接触に伴う取付部１の劣化やクラックの発生が防止され、機械的強度にきわめて優れたポリカーボネート樹脂の成形体でなる取付部１が耐薬品性に乏しいものであるとしても、その取付部１の破風板１１０への初期の取付強度が長期に亘って確保される。また、メチルメタクリレート樹脂はきわめて耐候性に優れた樹脂の１つであるため、メチルメタクリレート樹脂でなる上記被膜５３によって、耐候性に乏しいポリカーボネート樹脂成形体でなる取付部１や樋保持部３の紫外線劣化が抑制される。図４においては、上記被覆５３で樋保持部３の全体を包み込んであるけれども、紫外線（太陽光）が最もよく当たる樋保持部３の上面部３３のみを被覆するようにしてもよく、これによっても、紫外線劣化を十分に防止することができる。
　【００２９】図５はさらに他の実施形態を示している。同図の樋取付具Ａにおいては、添加物遮断膜を金属薄板によって形成してあり、その金属薄板に、樋取付具Ａの取付部１と樋保持部３とを上方から覆うカバー部５４を前方へ向けて延出してある。なお、取付部１や樋保持部３はポリカーボネート樹脂成形体でなり、その形状や構造は図８などで説明したものと同様である。
　【００３０】この樋取付具Ａを図３などで説明した破風板１１０に固着した場合、取付部１の取付面１１を覆っている金属薄板でなる添加物遮断膜５が上記外面被覆１１３に含まれていて表面に移行してきた可塑剤などの添加物と上記取付部１との接触を阻止するので、添加物との接触に伴う取付部１の劣化やクラックの発生が防止され、機械的強度にきわめて優れたポリカーボネート樹脂の成形体でなる取付部１が耐薬品性に乏しいものであるとしても、その取付部１の破風板１１０への初期の取付強度が長期に亘って確保される。また取付部１や樋保持部３を上方から覆っているカバー部５４が、その樋保持部３に直射日光の当たることを防ぐので、その樋保持部３の紫外線劣化が抑制される。この実施形態においては、樋保持部３の先端部分についてはカバー部５４で覆われていないけれども、この先端部分は樋保持部３に取り付けられた軒樋（不図示）によって上方から覆われるので、その先端部分の紫外線劣化も抑制される。
　【００３１】なお、樋保持部３の紫外線劣化を抑制するための対策としては、図６に示したように、加熱により収縮するという性質を備えた所謂シュリンクフィルム６でその樋保持部３を被覆しておいてもよい。図６に示した樋取付具Ａにおいて、取付部１や樋保持部３はポリカーボネート樹脂成形体でなり、その形状や構造は図８などで説明したものと同様である。また、取付部１の取付面１１は図１〜図３で説明したアルミニウム蒸着フィルムでなる添加物遮断膜５によって覆ってある。
　【００３２】図７に示した樋取付具Ａにおいて、その取付部１は、ポリカーボネート樹脂などの合成樹脂成形体でなり、その取付部１に後方へ突出する高さ０．５〜２ｍｍ程度のリブ状の突起１３を一体に突設してある。突起１３は、取付面１１の周縁部からその取付面１１を取り囲むように突出された環状のリブによって形成されていてもよい。また、突起を、取付面１１の複数箇所に部分的に突出させたものであってもよい。しかし、取付部１を破風板１１０に固定する釘や取付ねじを挿通する挿通孔１２の周辺に突起１３を設けることは避けるべきである。なぜなら、後述するように該突起１３は可塑剤などの添加剤と接触して一部劣化するおそれがあるため、挿通孔の周辺に突起１３を設けると、突起１３の劣化により固定力が低下する可能性を否定できないからである。このような樋取付具Ａを図３などで説明した破風板１１０に固着すると、上記突起１３が取付面１１と破風板１１０との間に隙間Ｓを形成するスペーサとして役立つので、図７のように取付部１に設けられている突起１３が外面被覆１１３の表面に当るだけであって、取付部１の取付面１１の全面が外面被覆１１３の表面に直接に重なり合うことがない。そのため、外面被覆１１３を形成している塩化プラスチゾルに含まれる可塑剤などの添加物は、上記突起１３に接触することがあっても取付部１の全体に接触してその取付部１にクラックを生じさせたりするようなことはない。したがって、図７で説明したものによっても、取付部１の破風板１１０への初期の取付強度が長期に亘って確保される。
　【００３３】
　【発明の効果】本発明に係る樋取付具は、その取付部が耐薬品性に乏しいポリカーボネート樹脂のような合成樹脂で成形されているにもかかわらず、その取付部の取付面が添加物遮断膜で覆われているので、その取付部が、冒頭で説明した破風板に見られるようなＤＯＰなどの可塑剤などを含む塩化ビニルブラスチゾルの被覆を有する塩化ビニル被覆鋼板に重なり状に取り付けられたとしても、塩化ビニルブラスチゾルに含まれる可塑剤などが取付部と接触するといった事態が起こり得ない。そのため、取付部に可塑剤との接触に伴うクラックが生じて強度が早期に低下してしまうという事態が起こらず、長期に亘って初期の取付強度が保たれるという効果がある。
　【００３４】本発明に係る樋取付具において、添加物遮断膜が、基材の両面に粘着剤が保持された膜でなり、上記基材の片面の上記粘着剤が上記取付部の取付面に粘着されている、という構成を採用した場合には、当該樋取付具を建築物に仮止めすることが可能になるので取付作業性が向上するという利点がある。
　【００３５】また、本発明によれば、添加物遮断膜に安価なアルミニウム蒸着被膜や金属素材、さらには各種の樹脂シートや樹脂塗膜などを用いることができるので価格面で有利である。
　【００３６】さらに本発明において、取付部と上記樋保持部の少なくとも上面部とに密着したメチルメタクリレート樹脂でなる被膜を設けたものや、金属薄板でなる添加物遮断膜にカバー部が前方へ向けて延出したものでは、上記被膜や上記カバー部が取付部や樋保持部の紫外線劣化を防ぐことに役立つようになるので、取付部や樋保持部の初期の強度が長期に亘って保たれる利点がある。また、樋取付具がポリカーボネート樹脂で成形されているものでは、紫外線劣化に伴う黄変も防止される。
　【００３７】
【図面の簡単な説明】
　【図１】本発明に係る樋取付具の取付部と添加物遮断膜とを示す斜視図である。
　【図２】取付部を破風板に取り付けたときの断面図である。
　【図３】図２のＩＩＩ部を拡大した断面図である。
　【図４】本発明の他の実施形態を示す縦断側面図である。
　【図５】本発明のさらに他の実施形態を示す縦断側面図である。
　【図６】樋保持部の紫外線劣化を抑制するための手段を例示した断面図である。
　【図７】本発明のさらに他の実施形態による樋取付具の取付部を破風板に取り付けたときの断面図である。
　【図８】破風板に取り付けられた樋取付具に軒樋を取り付けた状態を例示する説明図である。
　【符号の説明】
　Ａ　樋取付具
　１　取付部
　３　樋保持部
　５　添加物遮断膜
　１３　突起
　１１　取付面
　５１，５３　粘着剤
　５３　被膜
　５４　カバー部